(57)【要約】吸着穴の影の影響を低減できる画像読取装置及び印刷装置を提供する。用紙Ｐを搬送するドラム１００の周面１０４には、用紙Ｐを吸着するための吸着穴１１２が配置される。吸着穴１１２は、搬送方向と直交する方向に沿って形成された溝１１４の内側に配置される。これにより、読み取った画像に基づいて濃度ムラを検査する場合であっても、吸着穴の影の影響を低減でき、濃度ムラの誤検出を防止できる。
2016047192.tif 000002
【特許請求の範囲】
【請求項１】
吸着穴が規則的に配置されたメディア保持面にシート状のメディアを吸着させて搬送可能な搬送手段と、
前記搬送手段によって搬送されるメディアから画像を読み取り可能な画像読取手段と、
を備えた画像読取装置であって、
前記メディア保持面には、前記メディアの保持領域を搬送方向と直交する方向に横切る溝が、搬送方向に沿って規則的に配置され、前記メディア保持面に配置される前記吸着穴が前記溝の内側に配置される、
画像読取装置。
【請求項２】
一定の透光性を有し、かつ、一定の反射率を有するメディアを前記搬送手段によって搬送して、前記画像読取手段によって読み取った場合に、出力される輝度の搬送方向の積算値が、搬送方向と直交し、かつ、前記メディア保持面と平行になる方向の全域にわたって一定となる条件で前記溝が形成される、
請求項１に記載の画像読取装置。
【請求項３】
前記吸着穴は、搬送方向と直交する方向に第１の間隔で配置され、かつ、搬送方向に第２の間隔で配置され、
前記溝は、搬送方向における前記吸着穴の配置間隔と同じ間隔で配置される、
請求項１又は２に記載の画像読取装置。
【請求項４】
吸着穴が規則的に配置されたメディア保持面にシート状のメディアを吸着させて搬送可能な搬送手段と、
前記搬送手段によって搬送されるメディアから画像を読み取り可能な画像読取手段と、
を備えた画像読取装置であって、
搬送方向と直交する方向の前記吸着穴の並びを行とし、搬送方向の前記吸着穴の並びを列とすると、
各行に配置される前記吸着穴は、前の行に配置される前記吸着穴の次の列に配置され、
各列には同じ数の前記吸着穴が配置され、
かつ、
各列に配置される前記吸着穴は、搬送方向と直交し、かつ、前記メディア保持面と平行になる直線上に投影された場合に、隣り合う前記吸着穴が互いに隣接して配置される、
画像読取装置。
【請求項５】
一定の透光性を有し、かつ、一定の反射率を有するメディアを前記搬送手段によって搬送して、前記画像読取手段によって読み取った場合に、出力される輝度の搬送方向の積算値が、搬送方向と直交し、かつ、前記メディア保持面と平行になる方向の全域にわたって一定となる条件で前記吸着穴が配置される、
請求項４に記載の画像読取装置。
【請求項６】
前記メディア保持面には、更に突起が規則的に配置され、
搬送方向と直交する方向の前記突起の並びを行とし、搬送方向の前記突起の並びを列とすると、
各行に配置される前記突起は、前の行に配置される前記突起の次の列に配置され、
各列には同じ数の前記突起が配置され、
かつ、
各列に配置される前記突起は、搬送方向と直交し、かつ、前記メディア保持面と平行になる直線上に投影された場合に、隣り合う前記突起が互いに隣接して配置される、
請求項１から５のいずれか１項に記載の画像読取装置。
【請求項７】
一定の透光性を有し、かつ、一定の反射率を有するメディアを前記搬送手段によって搬送して、前記画像読取手段によって読み取った場合に、出力される輝度の搬送方向の積算値が、搬送方向と直交し、かつ、前記メディア保持面と平行になる方向の全域にわたって一定となる条件で前記突起が配置される、
請求項６に記載の画像読取装置。
【請求項８】
前記搬送手段が、回転するドラムであり、前記ドラムの周面が前記メディア保持面を構成する、
請求項１から７のいずれか１項に記載の画像読取装置。
【請求項９】
前記搬送手段が、周回する無端状のベルトであり、前記ベルトの周面が前記メディア保持面を構成する、
請求項１から７のいずれか１項に記載の画像読取装置。
【請求項１０】
印刷手段と、
請求項１から９のいずれか１項に記載の画像読取装置と、
を備えた印刷装置。
【請求項１１】
前記印刷手段は、前記搬送手段によって搬送されるメディアに印刷する、
請求項１０に記載の印刷装置。
【請求項１２】
前記印刷手段は、インクジェット方式によって画像を印刷する、
請求項１１に記載の印刷装置。
【請求項１３】
前記画像読取装置によって読み取った画像データに基づいて、濃度ムラの有無を検出する濃度ムラ検出部を更に備えた、
請求項１０から１２のいずれか１項に記載の印刷装置。
【発明の詳細な説明】
【技術分野】
【０００１】
本発明は、負圧を利用してメディアを搬送する搬送手段を備えた画像読取装置及び印刷装置に関する。
【背景技術】
【０００２】
画像読取装置におけるメディアの搬送方式として、ベルト搬送及びドラム搬送が知られている。ベルト搬送は、周回する無端状のベルトの周面にメディアを吸着させて、メディアを副走査方向に搬送する（たとえば、特許文献１等）。ドラム搬送は、回転するドラムの周面にメディアを吸着させて、メディアを副走査方向に搬送する（たとえば、特許文献２等）。【０００３】
いずれの場合もメディアの吸着には負圧が利用される。ベルト搬送の場合は、ベルトの周面に多数の吸着穴を形成し、ベルトの内側から吸引することにより、メディアをベルトの周面に吸着させる。ドラム搬送の場合は、ドラムの周面に多数の吸着穴を形成し、ドラムの内側から吸引することにより、メディアをドラムの周面に吸着させる。
【先行技術文献】
【特許文献】
【０００４】
【特許文献１】特開２００３−２０９６６３号公報
【特許文献２】特開２００５−１２６２１５号公報
【発明の概要】
【発明が解決しようとする課題】
【０００５】
しかしながら、ベルト及びドラムの周面に吸着穴が形成されていると、薄いメディアの場合、吸着穴の影がメディアの表面に透けて現れ、画像を読み取ったときに濃度ムラと誤認識してしまうという欠点がある。【０００６】
本発明は、このような事情に鑑みてなされたものであり、吸着穴の影の影響を低減できる画像読取装置及び印刷装置を提供することを目的とする。
【課題を解決するための手段】
【０００７】
上記課題を解決するための手段は、次のとおりである。【０００８】
（１）吸着穴が規則的に配置されたメディア保持面にシート状のメディアを吸着させて搬送可能な搬送手段と、搬送手段によって搬送されるメディアから画像を読み取り可能な画像読取手段と、を備えた画像読取装置であって、メディア保持面には、メディアの保持領域を搬送方向と直交する方向に横切る溝が、搬送方向に沿って規則的に配置され、メディア保持面に配置される吸着穴が溝の内側に配置される、画像読取装置。【０００９】
本態様によれば、メディア保持面に溝が備えられる。溝はメディアの保持領域を搬送方向と直交する方向、すなわち、主走査方向に横切る形により形成され、かつ、副走査方向である搬送方向に沿って規則的に配置される。ここで、「規則的に配置される」とは、規則性をもって繰り返し配置されることを意味する。メディア保持面に備えられる吸着穴は、すべてこの溝の内側に配置される。これにより、読み取った画像に基づいて濃度ムラを検査する場合であっても、吸着穴の影の影響を低減でき、濃度ムラの誤検出を防止できる。すなわち、本態様では、メディアの表面に影が現れる場合であっても、その影は溝の形の影となるため、主走査方向に均一に現れる。このため、主走査方向でみると、着目する主走査線上に吸着穴がある場合であっても、吸着穴がある部分とない部分の見かけ上の濃度は実質的に同一になる。これにより、吸着穴の影の影響で濃度ムラと誤検出するのを防止できる。また、副走査方向に積算した輝度値に基づいて画像ムラを判断する場合も、積算した輝度値は、主走査方向において均一になるため、この場合も吸着穴の影の影響で濃度ムラと誤検出するのを防止できる。【００１０】
（２）一定の透光性を有し、かつ、一定の反射率を有するメディアを搬送手段によって搬送して、画像読取手段によって読み取った場合に、出力される輝度の搬送方向の積算値が、搬送方向と直交し、かつ、メディア保持面と平行になる方向の全域にわたって一定となる条件で溝が形成される、上記（１）の画像読取装置。【００１１】
本態様によれば、一定の透光性を有し、かつ、一定の反射率を有するメディアを搬送手段によって搬送して、画像読取手段によって読み取った場合に、出力される輝度の搬送方向の積算値が搬送方向と直交し、かつ、メディア保持面と平行になる方向の全域にわたって一定となる条件で溝が形成される。すなわち、出力される輝度の搬送方向の積算値が搬送方向と直交し、かつ、メディア保持面と平行になる方向の全域にわたって一定となるように、溝の深さ、幅が決定される。これにより、メディア保持面に形成する溝を最適化できる。【００１２】
（３）吸着穴は、搬送方向と直交する方向に第１の間隔で配置され、かつ、搬送方向に第２の間隔で配置され、溝は、搬送方向における吸着穴の配置間隔と同じ間隔で配置される、上記（１）又は（２）の画像読取装置。【００１３】
本態様によれば、吸着穴が搬送方向と直交する方向に第１の間隔で配置され、かつ、搬送方向に第２の間隔で配置される。吸着穴は、溝の内側に配置されるので、溝は、搬送方向における吸着穴の配置間隔と同じ間隔で配置される。すなわち、第２の間隔で規則的に配置される。【００１４】
（４）吸着穴が規則的に配置されたメディア保持面にシート状のメディアを吸着させて搬送可能な搬送手段と、搬送手段によって搬送されるメディアから画像を読み取り可能な画像読取手段と、を備えた画像読取装置であって、搬送方向と直交する方向の吸着穴の並びを行とし、搬送方向の吸着穴の並びを列とすると、各行に配置される吸着穴は、前の行に配置される吸着穴の次の列に配置され、各列には同じ数の吸着穴が配置され、かつ、各列に配置される吸着穴は、搬送方向と直交し、かつ、メディア保持面と平行になる直線上に投影された場合に、隣り合う吸着穴が互いに隣接して配置される、画像読取装置。【００１５】
本態様によれば、搬送方向と直交する方向である主走査方向の吸着穴の並びを行とし、搬送方向である副走査方向の吸着穴の並びを列とすると、次のように、吸着穴が配置される。すなわち、各行に配置される吸着穴は、前の行に配置される吸着穴の次の列に配置される。また、各列には同じ数の吸着穴が配置される。さらに、各列に配置される吸着穴は、搬送方向と直交し、かつ、メディア保持面と平行になる直線上に投影された場合に、隣り合う吸着穴が互いに隣接して配置される。これにより、副走査方向に積算した輝度値に基づいて画像ムラを判断する際、積算した輝度値が主走査方向でほぼ均一になり、吸着穴の影の影響で濃度ムラと誤検出するのを防止できる。【００１６】
（５）一定の透光性を有し、かつ、一定の反射率を有するメディアを搬送手段によって搬送して、画像読取手段によって読み取った場合に、出力される輝度の搬送方向の積算値が、搬送方向と直交し、かつ、メディア保持面と平行になる方向の全域にわたって一定となる条件で吸着穴が配置される、上記（４）の画像読取装置。【００１７】
本態様によれば、一定の透光性を有し、かつ、一定の反射率を有するメディアを搬送手段によって搬送して、画像読取手段によって読み取った場合に、出力される輝度の搬送方向の積算値が、搬送方向と直交し、かつ、メディア保持面と平行になる方向の全域にわたって一定となる条件で吸着穴が配置される。すなわち、出力される輝度の搬送方向の積算値が、搬送方向と直交し、かつ、メディア保持面と平行になる方向の全域にわたって一定となるように、吸着穴の径、配置間隔が決定される。これにより、吸着穴の配置を最適化できる。【００１８】
（６）メディア保持面には、更に突起が規則的に配置され、搬送方向と直交する方向の突起の並びを行とし、搬送方向の突起の並びを列とすると、各行に配置される突起は、前の行に配置される突起の次の列に配置され、各列には同じ数の突起が配置され、かつ、各列に配置される突起は、搬送方向と直交し、かつ、メディア保持面と平行になる直線上に投影された場合に、隣り合う突起が互いに隣接して配置される、上記（１）から（５）のいずれかの画像読取装置。【００１９】
本態様によれば、メディア保持面に突起が配置される。突起は、搬送方向と直交する方向である主走査方向の突起の並びを行とし、搬送方向である副走査方向の突起の並びを列とすると、次のように配置される。すなわち、各行に配置される突起は、前の行に配置される突起の次の列に配置される。また、各列には同じ数の突起が配置される。さらに、各列に配置される突起は、搬送方向と直交し、かつ、メディア保持面と平行になる直線上に投影された場合に、隣り合う突起が互いに隣接して配置される。すなわち、吸着穴と同様の配置規則に従って配置される。これにより、突起によって生じる影の影響を低減でき、副走査方向に積算した輝度値に基づいて画像ムラを判断する際に濃度ムラと誤検出するのを防止できる。【００２０】
（７）一定の透光性を有し、かつ、一定の反射率を有するメディアを搬送手段によって搬送して、画像読取手段によって読み取った場合に、出力される輝度の搬送方向の積算値が、搬送方向と直交し、かつ、メディア保持面と平行になる方向の全域にわたって一定となる条件で突起が配置される、上記（８）の画像読取装置。【００２１】
本態様によれば、一定の透光性を有し、かつ、一定の反射率を有するメディアを搬送手段によって搬送して、画像読取手段によって読み取った場合に、出力される輝度の搬送方向の積算値が、搬送方向と直交し、かつ、メディア保持面と平行になる方向の全域にわたって一定となる条件で突起が配置される。すなわち、出力される輝度の搬送方向の積算値が、搬送方向と直交し、かつ、メディア保持面と平行になる方向の全域にわたって一定となるように、突起の径、配置間隔およびオーバーラップさせる量が決定される。これにより、突起の配置を最適化できる。【００２２】
（８）搬送手段が、回転するドラムであり、ドラムの周面がメディア保持面を構成する、上記（１）から（７）のいずれかの画像読取装置。【００２３】
本態様によれば、搬送手段が回転するドラムによって構成される。メディアは、メディア保持面として機能するドラムの周面に吸着保持されて搬送される。【００２４】
（９）搬送手段が、周回する無端状のベルトであり、ベルトの周面がメディア保持面を構成する、上記（１）から（７）のいずれかの画像読取装置。【００２５】
本態様によれば、搬送手段が周回する無端状のベルトによって構成される。メディアは、メディア保持面として機能するベルトの周面に吸着保持されて搬送される。【００２６】
（１０）印刷手段と、上記（１）から（９）のいずれかの画像読取装置と、を備えた印刷装置。【００２７】
本態様によれば、印刷手段と、上記（１）から（９）のいずれかの画像読取装置と、を備えて印刷装置が構成される。【００２８】
（１１）印刷手段は、搬送手段によって搬送されるメディアに印刷する、上記（１０）の印刷装置。【００２９】
本態様によれば、搬送手段によって搬送されるメディアに対して印刷が行われる。すなわち、同じ搬送手段を用いて、印刷及び読み取りが行われる。【００３０】
（１２）印刷手段は、インクジェット方式によって画像を印刷する、上記（１１）の印刷装置。【００３１】
本態様によれば、印刷手段がインクジェット方式によって画像を印刷する。【００３２】
（１３）画像読取装置によって読み取った画像データに基づいて、濃度ムラの有無を検出する濃度ムラ検出部を更に備えた、上記（１０）から（１２）のいずれかの印刷装置。【００３３】
本態様によれば、画像読取装置によって読み取った画像データに基づいて、濃度ムラの有無が検出される。画像読み取られる画像データは、メディアに透けて写り込む吸着穴の影の影響を低減できるので、精度よく濃度ムラを検出できる。
【発明の効果】
【００３４】
本発明によれば、メディアに透けて写り込む吸着穴の影の影響を低減できる。
【図面の簡単な説明】
【００３５】
【図１】印刷装置の一実施の形態を示す全体構成図
【図２】印刷部の概略構成図
【図３】ノズル面の平面図
【図４】印刷装置の制御系のシステム構成を示すブロック図
【図５】濃度ムラ検出部のシステム構成を示すブロック図
【図６】濃度検出用テストチャートの一例を示す図
【図７】濃度パッチの濃度の検出結果を示すグラフ
【図８】吸着穴の有無による読み取り画像の相違を説明する説明図
【図９】吸着穴が濃度ムラ検出に及ぼす影響を説明する説明図
【図１０】印刷ドラムの構成を示す斜視図
【図１１】印刷ドラムの周面の構成を示す展開図
【図１２】図１１の一部の領域ＺＡを拡大した斜視図
【図１３】図１１の一部の領域を拡大した拡大図
【図１４】図１３の１４−１４断面図
【図１５】図１３の１５−１５断面図
【図１６】本実施の形態の印刷ドラムの作用の説明図
【図１７】濃度ムラのある濃度パッチを読み取ったときの濃度の検出結果を説明する説明図
【図１８】吸着穴及び溝の配置の変形例（１）を示す図
【図１９】吸着穴及び溝の配置の変形例（２）を示す図
【図２０】印刷中に濃度ムラ検出を実施する場合のテストチャートの印刷例を示す図
【図２１】一部にのみ溝を配置する場合の印刷ドラムの周面の展開図
【図２２】印刷ドラムの第２の実施の形態の周面の構成を示す展開図
【図２３】図２２の一部の領域ＺＢを拡大した拡大図
【図２４】吸着穴の行方向の配置間隔を説明する説明図
【図２５】第２の実施の形態の印刷ドラムの作用の説明図
【図２６】濃度ムラのない濃度パッチを読み取ったときの濃度の検出結果を説明する説明図
【図２７】濃度ムラのある濃度パッチを読み取ったときの濃度の検出結果を説明する説明図
【図２８】一部の領域だけ吸着穴を特定の条件で配置した印刷ドラムの周面の展開図
【図２９】吸着穴の変形例を説明する説明図
【図３０】周面に突起を備えた印刷ドラムの周面の展開図
【図３１】搬送手段の他の一例を示す斜視図
【発明を実施するための形態】
【００３６】
以下、添付図面に従って本発明を実施するための形態について詳説する。
【００３７】
《印刷装置の全体構成》
図１は、印刷装置の一実施の形態を示す全体構成図である。この印刷装置１は、シート状のメディアである枚葉紙（以下、用紙という）にインクジェット方式によって画像を印刷する枚葉式のインクジェット印刷装置であり、特に汎用の印刷用紙に水性インクを使用してカラー印刷する枚葉式のカラーインクジェット印刷装置である。
【００３８】
なお、汎用の印刷用紙とは、いわゆるインクジェット専用紙ではなく、オフセット印刷などで使用されている塗工紙（アート紙、コート紙、軽量コート紙、キャスト紙、微塗工紙など）などのセルロースを主体とした用紙をいう。また、水性インクとは、水及び水に可溶な溶媒に染料、顔料などの色材を溶解又は分散させたインクをいう。
【００３９】
図１に示すように、印刷装置１は、主として、用紙Ｐを給紙する給紙部１０と、給紙部１０から給紙される用紙Ｐに所定の処理液を塗布する処理液塗布部２０と、処理液が塗布された用紙Ｐを乾燥処理する処理液乾燥部３０と、乾燥処理された用紙Ｐにインクジェット方式によって印刷する印刷部４０と、画像が印刷された用紙Ｐを乾燥処理するインク乾燥部５０と、乾燥処理された用紙Ｐを集積する集積部６０と、を備えて構成される。
【００４０】
〈給紙部〉
給紙部１０は、用紙Ｐを１枚ずつ給紙する。図１に示すように、給紙部１０は、主として、給紙装置１２と、フィーダボード１４と、給紙ドラム１６と、を備えて構成される。
【００４１】
給紙装置１２は、用紙束の状態で所定位置にセットされる用紙Ｐを上から順に１枚ずつ取り出して、フィーダボード１４に１枚ずつ給紙する。
【００４２】
フィーダボード１４は、給紙装置１２から１枚ずつ給紙される用紙Ｐを受け取り、受け取った用紙Ｐを所定の搬送経路に沿って搬送し、給紙ドラム１６へと移送する。
【００４３】
給紙ドラム１６は、フィーダボード１４から給紙される用紙Ｐを受け取り、受け取った用紙Ｐを所定の搬送経路に沿って搬送し、処理液塗布部２０へと移送する。給紙ドラム１６は、円筒形状を有し、周面に備えられたグリッパ１７によって用紙Ｐの搬送方向前側の端部を把持して回転することにより、用紙Ｐを周面に巻き付けて搬送する。
【００４４】
〈処理液塗布部〉
処理液塗布部２０は、用紙Ｐに印刷面に所定の処理液を塗布する。この処理液塗布部２０により塗布する処理液は、インク中の色材成分を凝集、不溶化ないし増粘させる機能を備えた液体である。このような処理液を用紙に塗布することにより、汎用の印刷用紙にインクジェット方式で印刷する場合であっても、高品位な画像を印刷することが可能になる。
【００４５】
図１に示すように、処理液塗布部２０は、主として、用紙Ｐを搬送する処理液塗布ドラム２２と、処理液塗布ドラム２２によって搬送される用紙Ｐの印刷面に処理液を塗布する処理液塗布装置２４と、を備えて構成される。
【００４６】
処理液塗布ドラム２２は、給紙部１０の給紙ドラム１６から用紙Ｐを受け取り、受け取った用紙Ｐを所定の搬送経路に沿って搬送し、処理液乾燥部３０へと移送する。処理液塗布ドラム２２は、円筒形状を有し、周面に備えられたグリッパ２３によって用紙Ｐの搬送方向前側の端部を把持して回転することにより、用紙Ｐを周面に巻き付けて搬送する。用紙Ｐは、印刷面が外側に向けられた状態で処理液塗布ドラム２２の周面に巻き付けられて搬送される。
【００４７】
処理液塗布装置２４は、処理液塗布ドラム２２によって搬送される用紙Ｐの面に処理液を塗布する。本実施の形態では、処理液をローラ塗布する。すなわち、周面に処理液が付与されたローラを処理液塗布ドラム２２によって搬送される用紙Ｐの印刷面に押し当てて、処理液を塗布する。処理液の塗布方式は、これに限定されるものではなく、この他、インクジェットヘッドを用いて塗布する方式や、スプレーを用いて塗布する方式なども採用できる。
【００４８】
処理液塗布部２０は、以上のように構成される。用紙Ｐは、処理液塗布ドラム２２によって搬送される過程で処理液塗布装置２４によって印刷面に処理液が塗布される。
【００４９】
〈処理液乾燥部〉
処理液乾燥部３０は、処理液が塗布された用紙Ｐを乾燥処理する。処理液乾燥部３０は、主として、用紙Ｐを搬送する処理液乾燥ドラム３２と、処理液乾燥ドラム３２によって搬送される用紙Ｐに温風を吹き当てて、用紙Ｐを乾燥させる処理液乾燥装置３４と、を備えて構成される。
【００５０】
処理液乾燥ドラム３２は、処理液塗布部２０の処理液塗布ドラム２２から用紙Ｐを受け取り、受け取った用紙Ｐを所定の搬送経路に沿って搬送し、印刷部４０へと移送する。処理液乾燥ドラム３２は、円筒状に組んだ枠体によって構成され、周面に備えられたグリッパ３３によって用紙Ｐの搬送方向前側の端部を把持して回転することにより、用紙Ｐを搬送する。
【００５１】
処理液乾燥装置３４は、処理液乾燥ドラム３２の内側に設置され、処理液乾燥ドラム３２によって搬送される用紙Ｐに向けて温風を送風する。
【００５２】
処理液乾燥部３０は、以上のように構成される。用紙Ｐは、処理液乾燥ドラム３２によって搬送される過程で、処理液乾燥装置３４から送風される温風が処理液塗布面に吹き当てられて、乾燥処理される。
【００５３】
〈印刷部〉
印刷部４０は、シアン（Ｃ）、マゼンタ（Ｍ）、イエロ（Ｙ）およびブラック（Ｋ）の４色のインクを用いて用紙Ｐの印刷面にカラー画像を印刷する。
【００５４】
図２は、印刷部の概略構成図である。図２に示すように、印刷部４０は、主として、用紙Ｐを搬送する印刷ドラム１００と、印刷ドラム１００によって搬送される用紙Ｐを印刷ドラム１００の周面に押圧して、用紙Ｐを印刷ドラム１００の周面に密着させる押圧ローラ４２と、印刷ドラム１００によって搬送される用紙Ｐに向けてＣ、Ｍ、ＹおよびＫの各色のインク滴を吐出するヘッドユニット４４と、用紙Ｐに印刷された画像を読み取るスキャナ４８と、を備えて構成される。
【００５５】
印刷ドラム１００は、搬送手段の一例である。印刷ドラム１００は、処理液乾燥部３０の処理液乾燥ドラム３２から用紙Ｐを受け取り、受け取った用紙Ｐを所定の搬送経路に沿って搬送し、インク乾燥部５０へと移送する。印刷ドラム１００は、円筒形状を有し、周面に備えられたグリッパ１０２によって用紙Ｐの先端を把持して回転することにより、メディア保持面である周面に用紙Ｐを巻き付けて搬送する。印刷ドラム１００には、用紙Ｐをドラムの周面に密着させるため、吸着機構が備えられる。すなわち、印刷ドラム１００は、用紙Ｐをメディア保持面である周面１０４に吸着させて搬送可能に構成される。本実施の形態の印刷ドラム１００では、負圧を利用して用紙Ｐが吸着される。印刷ドラム１００は、メディア保持面である周面に多数の吸着穴を有し、この吸着穴を介してドラム内部から吸引することにより、用紙Ｐを周面に吸着させる。印刷ドラム１００の構成については、後に更に詳述する。
【００５６】
押圧ローラ４２は、印刷ドラム１００との間で用紙Ｐを挟んで、用紙Ｐを印刷ドラム１００の周面に密着させる。押圧ローラ４２は、印刷ドラム１００が、処理液乾燥ドラム３２から用紙Ｐを受け取る位置の直後の位置に配置される。これにより、押圧ローラ４２によって押圧されながら、用紙Ｐが印刷ドラム１００の周面に巻き付けられる。
【００５７】
ヘッドユニット４４は、広義の印刷手段であり、シアンのインク滴を吐出するインクジェットヘッド４６Ｃと、マゼンタのインク滴を吐出するインクジェットヘッド４６Ｍと、イエロのインク滴を吐出するインクジェットヘッド４６Ｙと、ブラックのインク滴を吐出するインクジェットヘッド４６Ｋと、を備えて構成される。各インクジェットヘッド４６Ｃ、４６Ｍ、４６Ｙおよび４６Ｋは、印刷ドラム１００による用紙Ｐの搬送経路上に配置される。
【００５８】
各インクジェットヘッド４６Ｃ、４６Ｍ、４６Ｙおよび４６Ｋは、狭義の印刷手段である。各インクジェットヘッド４６Ｃ、４６Ｍ、４６Ｙおよび４６Ｋは、印刷ドラム１００によって搬送される用紙Ｐに対してシングルパスで画像を印刷できるように、ラインヘッドにより構成される。各インクジェットヘッド４６Ｃ、４６Ｍ、４６Ｙおよび４６Ｋは、先端にノズル面を備え、このノズル面に配置されたノズルから印刷ドラム１００によって搬送される用紙Ｐに向けてインク滴を吐出する。
【００５９】
図３は、ノズル面の平面図である。
【００６０】
同図に示すように、各インクジェットヘッド４６Ｃ、４６Ｍ、４６Ｙおよび４６Ｋのノズル面ＮＦには、用紙Ｐの搬送方向ｙと直交する方向ｘに沿ってノズルＮｚが一定ピッチで配置される。
【００６１】
画像読取手段であるスキャナ４８は、図２に示すように、印刷ドラム１００による用紙Ｐの搬送方向に対して、ヘッドユニット４４の下流側に設置される。スキャナ４８は、印刷ドラム１００によって搬送される用紙Ｐから読み取り可能に構成される。
【００６２】
スキャナ４８は、図２に示すように、主として、撮像手段としての撮像素子４８Ａと、光学系４８Ｂと、照明手段としての照明ランプ４８Ｃと、を備えて構成される。
【００６３】
撮像素子４８Ａは、用紙Ｐの幅方向の全域を撮像可能なリニアイメージセンサによって構成される。撮像素子４８Ａは、用紙Ｐの搬送方向と直交する方向を主走査方向として、主走査方向の全域の像をライン状に読み取る。
【００６４】
光学系４８Ｂは、印刷ドラム１００によって搬送される用紙Ｐの表面の光学像を撮像素子４８Ａの受光面に結像させる。
【００６５】
照明ランプ４８Ｃは、印刷ドラム１００によって搬送される用紙Ｐに向けて照明光を照射する。照明ランプ４８Ｃは、たとえば、ライン照明によって構成され、撮像素子４８Ａによる読み取り部位に照明光を照射する。
【００６６】
本実施の形態の印刷装置１では、搬送手段である印刷ドラム１００及び画像読取手段であるスキャナ４８によって画像読取装置が構成される。
【００６７】
印刷部４０は、以上のように構成される。用紙Ｐは、印刷ドラム１００によって搬送される過程でヘッドユニット４４を構成する各インクジェットヘッド４６Ｃ、４６Ｍ、４６Ｙおよび４６ＫからＣ、Ｍ、ＹおよびＫの各色のインク滴が印刷面に打滴されて、印刷面にカラー画像が印刷される。用紙Ｐに印刷された画像は、必要に応じてスキャナ４８によって読み取られる。
【００６８】
〈インク乾燥部〉
インク乾燥部５０は、印刷部４０による印刷直後の用紙Ｐを乾燥処理する。図１に示すように、インク乾燥部５０は、主として、用紙Ｐを搬送するチェーングリッパ５２と、チェーングリッパ５２によって搬送される用紙Ｐの走行をガイドする用紙ガイド５４と、チェーングリッパ５２によって搬送される用紙Ｐの印刷面を加熱して乾燥させる加熱乾燥装置５６と、を備えて構成される。
【００６９】
チェーングリッパ５２は、印刷部４０の印刷ドラム１００から用紙Ｐを受け取り、受け取った用紙Ｐを所定の搬送経路に沿って搬送し、集積部６０へと移送する。チェーングリッパ５２は、一定の走行経路に沿って走行する無端状のチェーン５２Ａを備え、そのチェーン５２Ａに備えられたグリッパ５２Ｂによって用紙Ｐの先端を把持して、用紙Ｐを搬送する。用紙Ｐは、このチェーングリッパ５２に搬送されることにより、インク乾燥部５０に設定された加熱領域及び非加熱領域を通過して、集積部６０に移送される。なお、加熱領域は、印刷部４０から移送されてきた用紙Ｐが最初に水平に搬送される領域に設定され、非加熱領域は、用紙Ｐが傾斜して搬送される領域に設定される。
【００７０】
用紙ガイド５４は、チェーングリッパ５２による用紙Ｐの搬送経路に沿って配置され、チェーングリッパ５２によって搬送される用紙Ｐの走行をガイドする。用紙ガイド５４は、第１ガイドボード５４Ａ及び第２ガイドボード５４Ｂを備えて構成される。
【００７１】
第１ガイドボード５４Ａは、加熱領域に配置されるガイドボードであり、中空の平板形状を有する。第１ガイドボード５４Ａは、上面部分が用紙Ｐのガイド面とされ、このガイド面の上を用紙Ｐが滑りながら搬送される。
【００７２】
第１ガイドボード５４Ａのガイド面には、多数の吸着穴が備えられる。第１ガイドボード５４Ａは、この吸着穴を介して内部から負圧吸引することにより、用紙Ｐをガイド面に吸い付けながら、用紙Ｐの走行をガイドする。
【００７３】
また、第１ガイドボード５４Ａには、ガイド面を冷却する冷却機構が備えられる。冷却機構は、たとえば、水冷式の冷却機構によって構成され、内部に配設された流路に冷却液を流すことにより、ガイド面を冷却する。第１ガイドボード５４Ａは、この冷却機構を利用して、ガイド面の温度が一定温度に制御される。
【００７４】
第２ガイドボード５４Ｂは、非加熱領域に配置されるガイドボードである。第２ガイドボード５４Ｂの構成は、第１ガイドボード５４Ａの構成と同じである。すなわち、中空の平板形状を有し、用紙Ｐをガイド面に吸い付けながら、用紙Ｐの走行をガイドする。また、冷却機構が備えられ、ガイド面の温度が一定温度に制御される。
【００７５】
加熱乾燥装置５６は、加熱領域に設置され、加熱領域を搬送される用紙Ｐの印刷面を熱源からの輻射熱で加熱して乾燥させる。加熱乾燥装置５６は、熱源としての複数の赤外線ランプ５６Ａを備えて構成され、チェーングリッパ５２の内側に配置される。赤外線ランプ５６Ａは、加熱領域における用紙Ｐの搬送経路に沿って一定の間隔で配置される。
【００７６】
インク乾燥部５０は以上のように構成される。用紙Ｐは、チェーングリッパ５２によって搬送される過程で印刷面を加熱乾燥装置５６によって加熱され、乾燥処理される。
【００７７】
〈集積部〉
集積部６０は、順次排紙される用紙Ｐを１カ所に集積する。図１に示すように、集積部６０は、主として、チェーングリッパ５２によってインク乾燥部５０から搬送されてくる用紙Ｐを受け取り、集積する集積装置６２を備えて構成される。
【００７８】
チェーングリッパ５２は、所定の集積位置で用紙Ｐをリリースする。集積装置６２は、リリースされた用紙Ｐを回収し、束状に集積する。
【００７９】
《制御系》
図４は、印刷装置の制御系のシステム構成を示すブロック図である。
【００８０】
同図に示すように、印刷装置１は、制御部としてコンピュータ２００を備えている。印刷装置１の動作は、すべてコンピュータ２００によって制御される。すなわち、給紙部１０からの給紙、給紙された用紙Ｐの搬送、処理液塗布部２０での処理液の塗布、処理液乾燥部３０での乾燥、印刷部４０での印刷、印刷された画像の読み取り、インク乾燥部５０での乾燥、集積部６０での集積等、すべての処理がコンピュータ２００による制御の下、実施される。
【００８１】
コンピュータ２００は、所定の制御プログラムを実行することにより印刷装置１の各部を制御する制御部として機能する。
【００８２】
コンピュータ２００には、外部機器と通信するための通信部２０２、印刷装置１を操作するための操作部２０４、各種情報を表示するための表示部２０６、各種データを記憶するための記憶部２０８等が接続される。
【００８３】
操作部２０４は、たとえば、操作ボタンやキーボード、マウス、タッチパネル等で構成することができる。表示部２０６は、たとえば、液晶ディスプレイなどのディスプレイ装置によって構成することができる。記憶部２０８は、たとえば、ハードディスクドライブなどの記憶装置により構成することができる。コンピュータ２００が実行する制御プログラムや制御に必要な各種データ等は記憶部２０８に格納される。
【００８４】
コンピュータ２００は、通信部２０２を介して外部機器から印刷する画像データを取得する。コンピュータ２００は、取得した画像データに対して所要の信号処理を施してドットデータを生成する。ドットデータは、一般に画像データに対して色変換処理、ハーフトーン処理を行って生成される。色変換処理は、ｓＲＧＢ（standard RGB）などで表現された画像データ（たとえば、ＲＧＢ８ビットの画像データ）を印刷装置１で使用するインクの各色のインク量データに変換する処理である（本例では、Ｃ、Ｍ、ＹおよびＫの各色のインク量データに変換する）。ハーフトーン処理は、色変換処理により生成された各色のインク量データに対して誤差拡散等の処理で各色のドットデータに変換する処理である。コンピュータ２００は、画像データに対して色変換処理、ハーフトーン処理を行って各色のドットデータを生成する。そして、生成した各色のドットデータに従って、対応するインクジェットヘッドの駆動を制御することにより、画像データが表す画像を用紙Ｐに記録する。
【００８５】
《濃度ムラ検出》
コンピュータ２００は、所定のプログラムを実行することにより、濃度ムラ検出部２１０として機能する。
【００８６】
図５は、濃度ムラ検出部のシステム構成を示すブロック図である。
【００８７】
濃度ムラ検出部２１０は、濃度検出用テストチャートをインクジェットヘッド４６Ｃ、４６Ｍ、４６Ｙおよび４６Ｋに印刷させ、その印刷結果をスキャナ４８に読み取らせる。そして、そのスキャナ４８によって読み取った濃度検出用テストチャートの画像データを検査画像データとして取得し、取得した検査画像データに基づいて濃度ムラの有無を検出する。
【００８８】
濃度検出用テストチャートは、記憶部２０８に格納されており、濃度ムラ検出部２１０は、記憶部２０８から濃度検出用テストチャートのデータを取得して、インクジェットヘッド４６Ｃ、４６Ｍ、４６Ｙおよび４６Ｋに印刷させる。
【００８９】
濃度ムラ検出部２１０は、スキャナ４８から取得した検査用画像データを解像度変換し、解像度変換した検査画像データに基づいて、ノズルごとの濃度検出値を取得する。
【００９０】
解像度変換は、撮像素子４８Ａの読み取り解像度をインクジェットヘッド４６Ｃ、４６Ｍ、４６Ｙおよび４６Ｋの記録解像度に合わせる処理である。たとえば、撮像素子４８Ａの読み取り解像度が５００ｄｐｉであり、インクジェットヘッド４６Ｃ、４６Ｍ、４６Ｙおよび４６Ｋの記録解像度が１２００ｄｐｉであれば、５００ｄｐｉの検査画像データを１２００ｄｐｉの検査画像データに変換する。なお、ｄｐｉは、dots per inchの略であり、ドット密度の単位である。1インチの幅の中にどれだけのドットを表現できるかを表す。
【００９１】
ここで、ノズルごとの濃度検出値は、印刷した濃度検出用テストチャートの輝度値として取得される。
【００９２】
図６は、濃度検出用テストチャートの一例を示す図である。
【００９３】
濃度検出用テストチャートＴＣは、一定の濃度を有する短冊状の濃度パッチＤＰ１〜ＤＰ８を搬送方向ｙに沿って一定の間隔で配置して構成される。各濃度パッチＤＰ１〜ＤＰ８は、それぞれ異なる濃度を有し、搬送方向ｙの前側から後側に向かって段階的に高くなる設定とされる。
【００９４】
濃度は、濃度パッチごとに検出される。各濃度パッチの濃度は、搬送方向ｙの濃度の平均値として取得される。
【００９５】
上記のように、濃度検出値は、輝度値として検出される。そして、各濃度パッチのノズルごとの濃度検出値は、輝度の平均値として取得される。輝度値として検出されるので、数値が低いほど濃度が高いということになる。
【００９６】
図７は、濃度パッチの濃度の検出結果を示すグラフである。同図（Ａ）は、印刷した濃度パッチＤＰｘに濃度ムラがない場合の濃度の検出結果を示しており、同図（Ｂ）は、印刷した濃度パッチＤＰｘに濃度ムラがある場合の濃度の検出結果を示している。
【００９７】
図７（Ａ）に示すように、印刷した濃度パッチＤＰｘに濃度ムラがない場合、検出される各ノズルの濃度検出値（輝度値）は一定となる。
【００９８】
一方、印刷した濃度パッチＤＰｘに濃度ムラがある場合、図７（Ｂ）に示すように、濃度ムラの生じているノズルに該当する部分の濃度検出値（輝度値）が変化する。
【００９９】
このように、濃度検出値の変化の有無から濃度ムラの有無を検出できる。また、濃度ムラがある場合は、その位置を特定できる。
【０１００】
濃度ムラが検出された場合、コンピュータ２００は、必要に応じて濃度ムラ補正を実施する。あるいは、メンテナンスを実施する。
【０１０１】
《印刷処理の流れ》
印刷処理は、（ａ）給紙、（ｂ）処理液の塗布、（ｃ）乾燥、（ｄ）印刷、（ｅ）乾燥および（ｆ）集積の順で行われる。
【０１０２】
画像の印刷開始が指示されると、給紙部１０から給紙が開始される。給紙部１０から給紙された用紙Ｐは、まず、処理液塗布部２０に搬送される。そして、その処理液塗布部２０の処理液塗布ドラム２２によって搬送される過程で印刷面に処理液が塗布される。
【０１０３】
処理液が塗布された用紙Ｐは、次に、処理液乾燥部３０に搬送される。そして、その処理液乾燥部３０の処理液乾燥ドラム３２によって搬送される過程で印刷面に温風が吹き当てられて乾燥処理される。
【０１０４】
乾燥処理された用紙Ｐは、次に、印刷部４０に搬送される。そして、その印刷部４０の印刷ドラム１００によって搬送される過程でシアン、マゼンタ、イエロおよびブラックの各色のインク滴が打滴されて、印刷面にカラー画像が印刷される。
【０１０５】
画像が印刷された用紙Ｐは、次に、インク乾燥部５０に搬送される。そして、そのインク乾燥部５０のチェーングリッパ５２によって搬送される過程で印刷面に赤外線ランプ５６Ａからの熱が当てられて乾燥処理される。
【０１０６】
乾燥処理された用紙Ｐは、そのままチェーングリッパ５２によって集積部６０に搬送され、集積部６０の集積装置６２によって回収される。
【０１０７】
《印刷ドラム》
上記のように、本実施の形態の印刷装置１は、画像読取装置を備えており、インラインで濃度ムラを検出できる。濃度ムラの検出は、インクジェットヘッド４６Ｃ、４６Ｍ、４６Ｙおよび４６Ｋによって濃度検出用テストチャートＴＣを印刷し、印刷された濃度検出用テストチャートＴＣの画像をスキャナ４８で読み取ることにより行われる。
【０１０８】
スキャナ４８は、印刷部４０に備えられており、印刷ドラム１００上で濃度検出用テストチャートＴＣの読み取りを行う。この印刷ドラム１００には、メディア保持面である周面に用紙Ｐを吸着するための吸着穴１１２が備えられている。
【０１０９】
印刷ドラム１００が吸着穴１１２を備えていると、薄い用紙Ｐを吸着した場合に、吸着穴１１２の影が透けて写り、濃度を検出する場合に悪影響を与える。
【０１１０】
図８は、吸着穴の有無による読み取り画像の相違を説明する説明図である。同図（Ａ）は、吸着穴がない位置で均一な濃度の画像Ｇ０を読み取った場合を示している。また、同図（Ｂ）は、吸着穴がある位置で均一な濃度の画像Ｇ０を読み取った場合を示している。
【０１１１】
図８（Ａ）に示すように、吸着穴がない領域では、均一な濃度の画像Ｇ０を読み取ると、均一な濃度の画像Ｇ１が得られる。
【０１１２】
一方、吸着穴がある領域では、図８（Ｂ）に示すように、読み取る画像Ｇ０の濃度が均一であっても、吸着穴１１２の影Ｓが写り込み、吸着穴の部分で濃度が高くなった画像Ｇ２が得られる。そして、このような影Ｓの写り込みが生じると、濃度ムラ検出に悪影響を及ぼす。
【０１１３】
図９は、吸着穴が濃度ムラ検出に及ぼす影響を説明する説明図である。図９（Ａ）は、吸着穴の配置例を示している。図９（Ｂ）は、吸着穴が図９（Ａ）の配列の場合にスキャナで読み取られる濃度パッチの画像を示している。図９（Ｃ）は、濃度の検出結果を示している。
【０１１４】
図９（Ａ）に示すように、吸着穴が縦横一定ピッチで配置されている場合、薄い用紙に印刷された均一な濃度の濃度パッチの画像をスキャナによって読み取ると、図９（Ｂ）に示すように、読み取られる画像Ｉには、吸着穴の位置に対応して吸着穴の影ＳＧが写り込む。この結果、印刷された濃度パッチに濃度ムラがない場合であっても、図９（Ｃ）に示すように、吸着穴の部分で濃度検出値が変化し、誤検出が生じる。
【０１１５】
本実施の形態の印刷装置１では、印刷ドラム１００を次のように構成することによって、この問題を回避する。
【０１１６】
《印刷ドラムの第１の実施の形態》
〈構成〉
図１０は、印刷ドラムの構成を示す斜視図である。
【０１１７】
印刷ドラム１００は、円筒形状を有し、メディア保持面である周面１０４に用紙Ｐを巻き付けて回転することにより、用紙Ｐを搬送する。印刷ドラム１００は、軸部を図示しない軸受に支持されて、印刷部４０に設置される。印刷部４０に設置された印刷ドラム１００は、駆動手段としてのモータ１０８に接続される。印刷ドラム１００は、このモータ１０８から回転動力を得て、軸を中心に回転する。
【０１１８】
印刷ドラム１００は、外周面上の２カ所にグリッパ１０２を備える。用紙Ｐは、このグリッパ１０２によって先端が把持される。
【０１１９】
メディア保持面である印刷ドラム１００の周面１０４には、吸着穴１１２及び溝１１４が規則的に配置される。印刷ドラム１００は、吸着穴１１２を介して内部から吸引することにより、用紙Ｐを周面１０４に吸着させる。吸着穴１１２及び溝１１４の配置については後述する。
【０１２０】
印刷ドラム１００の内部には、吸着穴１１２と連通する真空流路（不図示）が備えられる。真空流路は、印刷ドラム１００の軸部を介して、印刷ドラム１００の外部に設置された真空ポンプ１１０に接続される。印刷ドラム１００は、この真空ポンプ１１０を駆動することにより、各吸着穴１１２から吸引される。
【０１２１】
吸引範囲は、一定範囲に限定される。この吸引範囲は、押圧ローラ４２の設置位置からチェーングリッパ５２への用紙Ｐの受け渡し位置までの間に設定される。各吸着穴１１２は、押圧ローラ４２の設置位置からチェーングリッパ５２への用紙Ｐの受け渡し位置までの間で吸引を受ける。
【０１２２】
図１１は、印刷ドラムの周面の構成を示す展開図である。図１２は、図１１の一部の領域ＺＡを拡大した斜視図である。図１３は、図１１の一部の領域ＺＡを拡大した拡大図である。図１４は、図１３の１４−１４断面図である。図１５は、図１３の１５−１５断面図である。
【０１２３】
上記のように、印刷ドラム１００の周面１０４には、吸着穴１１２及び溝１１４が備えられる。
【０１２４】
吸着穴１１２は、円形状を有する。吸着穴１１２は、用紙Ｐの搬送方向ｙに第１の間隔ｐｔ１で配置され、かつ、用紙Ｐの搬送方向と直交する方向ｘに第２の間隔ｐｔ２で配置される。
【０１２５】
溝１１４は、用紙Ｐの搬送方向ｙと直交する方向ｘに沿って配置される。そして、吸着穴１１２と同じ間隔で用紙Ｐの搬送方向ｙに配置される。すなわち、第１の間隔ｐｔ１で配置される。
【０１２６】
ここで、用紙Ｐの搬送方向ｙの長さを縦幅、搬送方向ｙと直交する方向ｘの長さを横幅とすると、溝１１４は、用紙Ｐの横幅以上の長さをもって配置される。このため、溝１１４は、用紙Ｐの保持領域ＨＡを搬送方向ｙと直交する方向ｘに横切るように配置される。なお、用紙Ｐの保持領域ＨＡとは、図１１において破線で示す領域であり、印刷ドラム１００の周面１０４において、用紙Ｐを保持する領域である。換言すると、搬送時に用紙Ｐが密着する領域が、周面１０４における用紙Ｐの保持領域である。溝１１４は、この保持領域を搬送方向と直交する方向ｘに横切って配置される。
【０１２７】
上記のように、溝１１４は、搬送方向ｙにおける吸着穴１１２の配置間隔と同じ間隔で配置される。すなわち、第１の間隔ｐｔ１で配置される。したがって、搬送方向ｙにおいて、吸着穴１１２と溝１１４は、同じ位置に配置される。
【０１２８】
溝１１４は、吸着穴１１２の直径ｄと同じ幅ｗを有し、溝１１４の内側に吸着穴１１２が配置される。すなわち、搬送方向と直交する方向ｘに並ぶ吸着穴１１２は、すべて１本の溝１１４の内側に収容されて配置される。溝１１４は、搬送方向と直交する方向ｘに並ぶ吸着穴１１２を直線状に繋ぐ役割を有する。
【０１２９】
〔作用〕
図１６は、本実施の形態の印刷ドラムの作用の説明図である。図１６（Ａ）は、本実施の形態の印刷ドラムの周面の一部を示している。図１６（Ｂ）は、本実施の形態の印刷ドラムを使用した場合にスキャナによって読み取られる濃度パッチの読み取り画像を示している。図１６（Ｃ）は、濃度の検出結果を示している。
【０１３０】
図１６（Ａ）に示すように、本実施の形態の印刷ドラム１００は、周面１０４に配置される吸着穴１１２が、すべて溝１１４の内側に配置される。
【０１３１】
このため、均一な濃度で印刷された濃度パッチの画像をスキャナによって読み取ると、図１６（Ｂ）に示すように、読み取られる画像Ｉには、溝１１４の影ＳＧが写り込む。
【０１３２】
しかし、溝１１４は、用紙Ｐの保持領域において、用紙Ｐの搬送方向と直交する方向ｘに一様に形成されているため、溝１１４が配置されている位置では、用紙Ｐの幅方向の全域で均一な濃度となる。ここで、用紙Ｐの幅方向とは、用紙Ｐの搬送方向と直交し、かつ、メディア保持面と平行になる方向である。この方向は、スキャナ４８による読み取りの主走査方向である。
【０１３３】
この結果、図１６（Ｃ）に示すように、均一な濃度で印刷された濃度パッチの濃度検出値（輝度値）は、用紙Ｐの幅方向の全域で均一となる。すなわち、濃度パッチの濃度は、搬送方向ｙの濃度の平均値として取得されるので、影ＳＧが写り込んだとしても、その影ＳＧが用紙Ｐの幅方向の全域に均一に現れれば、平均値として取得される濃度は、用紙Ｐの幅方向の全域で均一となる。
【０１３４】
図１７は、濃度ムラのある濃度パッチを読み取ったときの濃度の検出結果を説明する説明図である。図１７（Ａ）は、濃度ムラのある濃度パッチの画像を示している。図１７（Ｂ）は、濃度ムラのある濃度パッチをスキャナによって読み取った場合の読み取り画像を示している。図１７（Ｃ）は、濃度の検出結果を示している。
【０１３５】
図１７（Ａ）に示すように、濃度ムラのある濃度パッチの画像Ｉ１が印刷された用紙をスキャナによって読み取ると、図１７（Ｂ）に示すように、読み取られる画像ｉ１には、濃度ムラと共に溝１１４の影ＳＧが写り込む。
【０１３６】
しかし、各領域の濃度を搬送方向ｙの平均値として捉えると、溝１１４の影ＳＧによる濃度成分は、全体として相殺される。この結果、図１７（Ｃ）に示すように、実際に濃度ムラが生じている部分の濃度検出値（輝度値）だけが変化する。したがって、この濃度検出値が変化している部分を検出することにより、濃度ムラの有無、及び、発生部位を検出できる。
【０１３７】
このように、本実施の形態の印刷ドラム１００によれば、空気圧を利用して用紙Ｐを吸着する場合であっても、吸着穴１１２の影響を排除して、精度よく濃度ムラを検出できる。
【０１３８】
〈吸着穴及び溝の選定〉
上記のように、溝１１４は、搬送方向における輝度の平均値として取得される濃度値を用紙Ｐの幅方向の全域にわたって一定とすることを目的として形成される。したがって、溝１１４は、この目的を実現する観点から深さｈや幅ｗが決定される。
【０１３９】
具体的には、照明ランプの輝度や撮像素子の解像度、感度等、影に影響を及ぼす事項を考慮して溝１１４の深さｈや幅ｗが設定される。一例として、基準となる用紙、すなわち、用紙の幅方向全域にわたって一定の透光性を有し、かつ、一定の反射率を有する用紙を搬送して、その画像をスキャナ４８によって読み取り、読み取った画像から得られる輝度の搬送方向の積算値が、用紙Ｐの幅方向の全域にわたって一定となる条件で溝を形成する。輝度の搬送方向の積算値が、用紙Ｐの幅方向の全域にわたって一定となる条件で幅ｗ及び深さｈを選定して溝を形成する。これにより、印刷ドラム１００の周面に形成する溝１１４を最適化できる。ここで、用紙の幅方向とは用紙の搬送方向に直交する方向である。
【０１４０】
基準となる用紙は、実際に印刷装置によって印刷する用紙を選択することが好ましい。このような用紙が複数存在する場合には、その中で最も透光性を有する用紙を基準となる用紙に選択することが好ましい。
【０１４１】
なお、溝１１４は、浅すぎると、吸着穴１１２との間で輝度差が生じる。その一方で、溝１１４は、深すぎると、用紙Ｐにシワ等の変形を生じさせるおそれがある。したがって、溝１１４は、吸着穴１１２との間で輝度差が生じない範囲において、可能な限り浅く形成することが好ましい。
【０１４２】
一例として、溝１１４の幅は、吸着穴１１２の直径と等しく形成し、溝１１４の深さは、５０μm以上、３００μm以下とすることができる。吸着穴１１２の直径は、たとえば、０．８ｍｍとすることができる。
【０１４３】
〈変形例〉
〔変形例（１）〕
図１８は、吸着穴及び溝の配置の変形例（１）を示す図である。
【０１４４】
上記実施の形態では、吸着穴１１２が、用紙Ｐの搬送方向ｙに第１の間隔ｐｔ１で配置され、かつ、用紙Ｐの搬送方向と直交する方向ｘに第２の間隔ｐｔ２で配置されているが、吸着穴１１２の配置は、これに限定されるものではない。
【０１４５】
図１８に示すように、用紙Ｐの搬送方向ｙに沿って並ぶ吸着穴１１２の位置を交互にずらして配置することもできる。同図に示す例では、用紙Ｐの搬送方向ｙに沿って並ぶ吸着穴１１２の位置を半ピッチずらして配置している。このような配置は、いわゆる千鳥配置と呼ばれる。この場合も搬送方向と直交する方向に並ぶ吸着穴１１２がすべて１本の溝１１４で繋がれる。これにより、搬送方向の輝度の平均値として取得される濃度値を用紙Ｐの幅方向の全域にわたって一定とすることができる。
【０１４６】
〔変形例（２）〕
図１９は、吸着穴及び溝の配置の変形例（２）を示す図である。
【０１４７】
上記実施の形態では、搬送方向と直交する方向ｘに並ぶ吸着穴１１２を１本の溝１１４で繋ぐ構成としているが、印刷ドラム１００の周面１０４には、吸着穴１１２のない溝１１４を配置することもできる。ただし、この場合も溝１１４は、用紙Ｐの保持領域ＨＡを搬送方向と直交する方向ｘに横切るように配置することを要する。
【０１４８】
〔変形例（３）〕
図２０は、印刷中に濃度ムラ検出を実施する場合のテストチャートの印刷例を示す図である。
【０１４９】
図２０に示すように、印刷中に濃度ムラ検出を行う場合、印刷対象の画像ＩＧ及び濃度検出用テストチャートＴＣを１枚の用紙Ｐに印刷する。
【０１５０】
なお、同図に示す例では、濃度検出用テストチャートＴＣを単一濃度の濃度パッチで構成した例を示している。
【０１５１】
この場合、たとえば、用紙Ｐの搬送方向ｙの前端部分に余白領域ＭＡが設けられ、その余白領域ＭＡに濃度検出用テストチャートＴＣが印刷される。
【０１５２】
このように、濃度検出用テストチャートＴＣが用紙Ｐの一部にのみ印刷される場合、印刷ドラム１００には、その濃度検出用テストチャートＴＣが印刷された領域（余白領域ＭＡ）に対応する領域にのみ溝１１４を配置することができる。すなわち、周面の一部にのみ溝１１４を配置することができる。
【０１５３】
図２１は、一部にのみ溝を配置する場合の印刷ドラムの周面の展開図である。
【０１５４】
同図に示すように、濃度検出用テストチャートＴＣが印刷された領域に対応する領域についてのみ溝１１４を配置し、搬送方向と直交する方向に並ぶ吸着穴１１２を溝１１４で繋ぐ。濃度検出用テストチャートＴＣが印刷された領域に対応する領域とは、用紙Ｐを吸着保持したときに濃度検出用テストチャートＴＣが印刷された領域が密着する領域である。図２１では、この領域を斜線で示している。濃度検出用テストチャートＴＣが印刷される領域は、用紙Ｐの余白領域ＭＡであるので、用紙Ｐの余白領域ＭＡに対応して溝１１４が配置される。
【０１５５】
このように、必要な領域についてのみ溝１１４を配置することにより、溝１１４が用紙Ｐに与える影響を低減できる。また、製造も容易にできる。
【０１５６】
《印刷ドラムの第２の実施の形態》
〈構成〉
図２２は、印刷ドラムの第２の実施の形態の周面の構成を示す展開図である。図２３は、図２２の一部の領域ＺＢを拡大した拡大図である。
【０１５７】
本実施の形態の印刷ドラム１００では、吸着穴１１２の配置を最適化することによって、濃度ムラ検出に及ぼす吸着穴１１２の影の影響を低減する。具体的には、図２２及び図２３に示すように、搬送方向と直交する方向ｘの吸着穴１１２の並びを行とし、搬送方向ｙの吸着穴の並びを列とすると、吸着穴１１２は、次のように配置される。（１）各行に配置される吸着穴１１２は、前の行に配置される吸着穴１１２の次の列に配置される。（２）各列には同じ数の吸着穴１１２が配置される。（３）各列に配置される吸着穴１１２は、搬送方向と直交し、かつ、メディア保持面である周面１０４と平行になる直線上に投影された場合に、隣り合う吸着穴１１２が互いに隣接するように配置される。以下、この配置について説明する。
【０１５８】
図２３に示すように、各吸着穴１１２の位置を行及び列の番号を用いて（Ｍ，Ｎ）と表示する。この場合、第１行および第１列の吸着穴１１２は（１，１）と表示され、第２行および第２列の吸着穴１１２は（２，２）と表示される。
【０１５９】
上記のように、（１）各行に配置される吸着穴１１２は、前の行に配置される吸着穴の次の列に配置される。たとえば、第２行に配置される吸着穴（２，ｎ）は、第１行に配置される吸着穴（１，ｎ）の次の列に配置される。したがって、第１行および第１列に吸着穴が配置されている場合、第２行目には、第２列目に吸着穴が配置される。同様に、第２行および第２列に吸着穴が配置されている場合、第３行目には、第３列目に吸着穴が配置される。このように、各行に配置される吸着穴１１２は、前の行に配置される吸着穴の次の列に配置される。
【０１６０】
本実施の形態の印刷ドラム１００の場合、５行を一組とする吸着穴の配置パターンが、５回繰り返して配置される。したがって、第６行目に配置される吸着穴１１２の配置パターンは、第１行目に配置される吸着穴１１２の配置パターンと同じになり、第７行目に配置される吸着穴１１２の配置パターンは、第２行目に配置される吸着穴１１２の配置パターンと同じになる。
【０１６１】
また、５行を一組とするので、各行には、５列おきに吸着穴１１２が配置される。したがって、各行には（Ｍ＋５ｘ）列目に吸着穴１１２が配置される（ｘ＝０、１、２、３、…）。たとえば、３行目には、３、８、１３、…列目に吸着穴１１２が配置される。
【０１６２】
また、各列には同じ数の吸着穴１１２が配置される。図２２に示すように、１つのメディア保持面に着目すると、本実施の形態の印刷ドラム１００では、１列に５個の吸着穴が配置されている。
【０１６３】
さらに、各列に配置される吸着穴１１２は、搬送方向と直交し、かつ、メディア保持面である周面１０４と平行になる直線上に投影された場合に、隣り合う吸着穴１１２が互いに隣接するように配置される。
【０１６４】
「搬送方向と直交し、かつ、メディア保持面と平行になる直線」とは、搬送方向ｙに直交する直線のなかで、メディア保持面と平行なものをいう。換言すると、メディア保持面と平行な面内で搬送方向ｙと直交する直線をいう。各列に配置される吸着穴１１２は、この直線上に投影されたときに、互いに隣接して配置される。
【０１６５】
また、「隣接して配置」は、吸着穴１１２が直線上に投影された場合に、隣り合う吸着穴同士が、少なくとも互いに接するように配置されることを意味する。したがって、重ねて配置する場合も含む概念である。
【０１６６】
図２４は、吸着穴の行方向の配置間隔を説明する説明図である。同図（Ａ）は、吸着穴の実際の配列を示している。同図（Ｂ）は、搬送方向と直交し、かつ、メディア保持面と平行になる直線上に投影されたときの吸着穴の配列を示している。
【０１６７】
図２４（Ｂ）に示すように、各列に配置される吸着穴１１２は、搬送方向と直交し、かつ、メディア保持面と平行になる直線Ｌｘ上に投影された場合に、隣り合う吸着穴１１２が互いに隣接するように配置される。特に、本実施の形態の印刷ドラム１００のように、吸着穴１１２の形状が円形の場合、各列に配置される吸着穴１１２が、次の列に配置される吸着穴１１２と一部が重なるように配置される。すなわち、一部をオーバーラップさせて配置される。この場合、たとえば、第２列に配置される吸着穴（ｍ，２）は、第１列に配置される吸着穴（ｍ，１）及び第３列に配置される吸着穴（ｍ，３）と一部が重なるように配置される。したがって、第２行、第２列に配置される吸着穴（２，２）は、第１行、第１列に配置される吸着穴（１，１）、及び、第３行、第３列に配置される吸着穴（３，３）と一部が重なるように配置される。
【０１６８】
〔作用〕
図２５は、第２の実施の形態の印刷ドラムの作用の説明図である。図２５（Ａ）は、本実施の形態の印刷ドラムを使用した場合にスキャナによって読み取られる濃度パッチの読み取り画像の一部を示している。図２５（Ｂ）は、吸着穴の影の像が、搬送方向と直交し、かつ、メディア保持面と平行になる直線上に投影された状態を示している。図２５（Ｃ）は、濃度の検出結果を示している。
【０１６９】
図２５（Ａ）に示すように、本実施の形態の印刷ドラム１００は、周面に吸着穴１１２を備えているため、均一な濃度で印刷された濃度パッチの画像をスキャナで読み取っても、その読み取り画像には吸着穴１１２の影Ｓが写り込む。この影Ｓは、吸着穴１１２の配置パターンに合致したパターンで現れる。
【０１７０】
上記のように、本実施の形態の印刷ドラム１００は、（１）各行に配置される吸着穴１１２は、前の行に配置される吸着穴１１２の次の列に配置され、（２）各列には同じ数の吸着穴１１２が配置され、かつ、（３）各列に配置される吸着穴１１２は、隣接する列に配置される吸着穴１１２と一部が相互にオーバーラップして配置される。
【０１７１】
このように配置すると、図２５（Ｂ）に示すように、用紙Ｐの幅方向の全域にわたって、ほぼ均一に吸着穴の影Ｓが現れる。ここで、用紙Ｐの幅方向とは、上記のように、用紙Ｐの搬送方向と直交し、かつ、メディア保持面と平行になる方向であり、スキャナ４８による読み取りの主走査方向である。
【０１７２】
この結果、図２５（Ｃ）に示すように、搬送方向ｙに沿う方向の輝度の平均値として濃度を取得した場合、濃度の検出値は、用紙Ｐの幅方向の全域にわたって、ほぼ均一な値となる。
【０１７３】
図２６は、濃度ムラのない濃度パッチを読み取ったときの濃度の検出結果を説明する説明図である。図２６（Ａ）は、濃度ムラのない濃度パッチの画像を示している。図２６（Ｂ）は、濃度ムラのない濃度パッチをスキャナによって読み取った場合の読み取り画像を示している。図２６（Ｃ）は、濃度の検出結果を示している。
【０１７４】
図２６（Ａ）に示すように、濃度ムラのない濃度パッチの画像Ｉ０が印刷された用紙をスキャナによって読み取ると、図２６（Ｂ）に示すように、読み取られる画像ｉ０には、吸着穴１１２の影Ｓが写り込む。
【０１７５】
しかし、各領域の濃度を搬送方向ｙの平均値として捉えると、各領域には吸着穴１１２の影Ｓが、ほぼ均等に現れるので、全体としてみると、図２６（Ｃ）に示すように、用紙Ｐの幅方向の全域でほぼ均一な濃度（輝度）となる。
【０１７６】
図２７は、濃度ムラのある濃度パッチを読み取ったときの濃度の検出結果を説明する説明図である。図２７（Ａ）は、濃度ムラのある濃度パッチの画像を示している。図２７（Ｂ）は、濃度ムラのある濃度パッチをスキャナによって読み取った場合の読み取り画像を示している。図２７（Ｃ）は、濃度の検出結果を示している。
【０１７７】
図２７（Ａ）に示すように、濃度ムラのある濃度パッチの画像Ｉ１が印刷された用紙をスキャナによって読み取ると、図２７（Ｂ）に示すように、読み取られる画像ｉ１には、濃度ムラと共に吸着穴１１２の影Ｓが写る。
【０１７８】
しかし、各領域の濃度を搬送方向ｙの平均値として捉えると、吸着穴１１２の影Ｓによる濃度成分は、全体として相殺される。この結果、図２７（Ｃ）に示すように、実際に濃度ムラが生じている部分の濃度検出値（輝度値）だけが変化する。したがって、この濃度検出値が変化している部分を検出することにより、濃度ムラの有無、及び、発生部位を検出できる。
【０１７９】
このように、本実施の形態の印刷ドラム１００によれば、空気圧を利用して用紙Ｐを吸着する場合であっても、吸着穴１１２の影響を排除して、精度よく濃度ムラを検出できる。
【０１８０】
〈吸着穴の配置条件の決定方法〉
上記のように、吸着穴１１２は、輝度の搬送方向の平均値として濃度を求めたときに、用紙Ｐの幅方向の全域にわたって、濃度がほぼ一定となるように配置する。
【０１８１】
具体的には、照明ランプの輝度や撮像素子の解像度、感度等、影に影響を及ぼす事項を考慮して配置間隔が設定される。一例として、基準となる用紙、すなわち、用紙の幅方向全域にわたって一定の透光性を有し、かつ、一定の反射率を有する用紙を搬送して、その画像をスキャナによって読み取った場合に、読み取った画像から得られる輝度の搬送方向の積算値が、用紙Ｐの幅方向の全域にわたって一定となる条件で吸着穴１１２を配置する。すなわち、出力される輝度の搬送方向の積算値が、用紙Ｐの幅方向の全域にわたって一定となるように、吸着穴の径、行と列の間隔を決定する。これにより、吸着穴１１２の配置を最適化できる。ここで、用紙の幅方向とは用紙の搬送方向に直交する方向である。
【０１８２】
基準となる用紙は、実際に印刷装置で印刷する用紙を選択することが好ましい。このような用紙が複数存在する場合には、その中で最も透光性を有する用紙を基準となる用紙に選択することが好ましい。
【０１８３】
なお、濃度値（輝度の平均値）は、用紙Ｐの幅方向の全域にわたって一定にすることが好ましいが、濃度ムラと区別可能な範囲で一定であればよい。影の影響は、使用する照明ランプの輝度や使用する撮像素子の解像度、感度などによって変動するからである。したがって、濃度値が一定の許容範囲内に収まるように、吸着穴１１２の配置条件を決定すればよい。特に列の間隔については、一定の許容範囲内において濃度値が、搬送方向と直交する方向の全域にわたって一定になる条件に設定すればよい。許容範囲は、たとえば、隣接色差ΔＥ＜１となる範囲を許容範囲とすることができる。この場合、隣接色差ΔＥがΔＥ＜１となるように、吸着穴の配置間隔を調整する。
【０１８４】
なお、人間の視覚の特性を考慮すると、吸着穴１１２をずらす間隔、すなわち、列の間隔は０．３mm以下とすることが好ましい。
【０１８５】
吸着穴１１２は、円形状とし、その直径は、たとえば、０．８mmとすることができる。
【０１８６】
〈変形例〉
〔変形例（１）〕
テストチャートを印刷する領域が用紙の一部に限定される場合、吸着穴を上記条件で配置する領域も一部の領域に限定できる。たとえば、図２０に示すように、用紙Ｐの一部の領域に濃度検出用テストチャートＴＣが印刷される場合、その濃度検出用テストチャートＴＣが印刷された領域に対応する領域についてのみ、上記条件で吸着穴を配置することができる。この場合、他の領域は他の配置条件で配置する。たとえば、他の領域は、縦横一定ピッチで配置することができる。
【０１８７】
図２８は、一部の領域だけ吸着穴を特定の条件で配置した印刷ドラムの周面の展開図である。
【０１８８】
同図に示す例では、濃度検出用テストチャートＴＣが印刷された領域に対応する領域についてのみ上記条件で吸着穴１１２を配置し、他の領域については、縦横一定ピッチで吸着穴１１２を配置している。
【０１８９】
上記のように、濃度検出用テストチャートＴＣが印刷された領域に対応する領域とは、用紙Ｐを吸着保持したときに濃度検出用テストチャートＴＣが印刷された領域が密着する領域である。図２８では、この領域を斜線で示している。濃度検出用テストチャートが印刷される領域は、用紙Ｐの余白領域ＭＡである。したがって、用紙Ｐの余白領域ＭＡに対応する領域について、吸着穴１１２が上記条件で配置される。その他の領域は、縦横一定ピッチで吸着穴１１２が配置される。すなわち、搬送方向ｙに一定の間隔で配置され、かつ、搬送方向と直交する方向に一定の間隔で配置される。
【０１９０】
〔変形例（２）〕
図２９は、吸着穴の変形例を説明する説明図である。同図（Ａ）は、吸着穴の形状及び配列を示している。同図（Ｂ）は、搬送方向と直交し、かつ、メディア保持面と平行になる直線上に投影されたときの吸着穴の配列を示している。
【０１９１】
上記実施の形態では、吸着穴１１２の形状を円形状としているが、吸着穴１１２の形状は、これに限定されるものではない。図２９に示すように、吸着穴１１２の形状は、四角形状とすることもできる。この場合も上述した配置条件で吸着穴１１２を配置する。
【０１９２】
《その他の実施の形態》
〈突起を配置する場合〉
メディア保持面に突起を規則的に配置することにより、シワの発生を防止する技術が知られている（たとえば、特開2013-151149号公報参照）。このような突起をメディア保持面に配置する場合、突起についても吸着穴と同じ条件で配置することが好ましい。
【０１９３】
図３０は、周面に突起を備えた印刷ドラムの周面の展開図である。
【０１９４】
用紙Ｐの搬送方向と直交する方向ｘの突起１１６の並びを行とし、搬送方向ｙの突起１１６の並びを列とすると、突起１１６は、次のように配置される。すなわち、各行に配置される突起１１６は、前の行に配置される突起１１６の次の列に配置される。また、各列には同じ数の突起１１６が配置される。さらに、各列に配置される突起１１６は、搬送方向と直交する直線上に並べた場合に、隣り合う突起１１６が互いに隣接するように配置される。
【０１９５】
具体的な突起１１６の配置間隔や径は、照明ランプの輝度等を影に影響を及ぼす事項を考慮して設定される。一例として、基準となる用紙、すなわち、用紙の幅方向全域にわたって一定の透光性を有し、かつ、一定の反射率を有する用紙を搬送して、その画像をスキャナで読み取った場合に、読み取った画像から得られる輝度の搬送方向の積算値が、用紙Ｐの幅方向の全域にわたって一定となる条件で突起１１６を配置する。すなわち、出力される輝度の搬送方向の積算値が、用紙Ｐの幅方向の全域にわたって一定となるように、突起の径、行と列の間隔を決定する。ここで、用紙の幅方向とは用紙の搬送方向に直交する方向である。
【０１９６】
これにより、突起１１６によって形成される影の影響を低減でき、精度よく濃度ムラを検出できる。
【０１９７】
突起１１６は、たとえば、円柱形状又は半球形状により形成することができる。突起１１６の形状を円柱形状又は半球形状とする場合、その径は、たとえば、１．０ｍｍとすることができる。
【０１９８】
また、突起１１６は、搬送方向ｙにおいて、各吸着穴１１２の間に配置することができる。特に、中間位置に配置することができる。
【０１９９】
なお、テストチャートを印刷する領域が用紙の一部に限定される場合、突起を上記条件で配置する領域も一部の領域に限定できる。
【０２００】
また、図３０に示す例では、第２の実施の形態の印刷ドラムのように、吸着穴が特定の条件で配置された印刷ドラムに突起を配置する例を示しているが、第１の実施の形態の印刷ドラムのように、溝を備えた印刷ドラムに突起を配置することもできる。
【０２０１】
〈搬送手段の他の例〉
図３１は、搬送手段の他の一例を示す斜視図である。
【０２０２】
上記実施の形態では、搬送手段を回転するドラム（印刷ドラム１００）によって構成しているが、図３１に示すように、一定の経路を走行して周回する無端状のベルト３００によって搬送手段を構成することもできる。この場合、ベルト３００の周面３０２が、メディア保持面を構成する。したがって、このベルト３００の周面３０２に吸着穴及び溝が配置される。あるいは、このベルト３００の周面３０２に吸着穴が、第２の実施の形態で説明した条件で配置される。なお、図３１に示す形態は、周面３０２に溝を配置した形態を示している。
【０２０３】
〈印刷装置〉
上記実施の形態では、本発明をインクジェット方式の印刷装置に適用した場合を例に説明したが、本発明の適用は、これに限定されるものではない。枚葉のメディアを搬送する装置全般に適用できる。
【０２０４】
また、上記実施の形態では、印刷部にスキャナを設置する場合を例に説明したが、スキャナを設置する位置は、これに限定されるものではない。
【０２０５】
また、上記実施の形態では、画像読取装置を構成する搬送手段が、印刷部の搬送手段と兼用されているが、専用の搬送手段を用意することもできる。
【０２０６】
〈画像読取装置〉
上記実施の形態では、画像読取装置を印刷装置に組み込んだ例で説明したが、画像読取装置は単体で構成することもできる。この場合、たとえば、搬送手段としてのドラム又は無端状のベルト、及び、読取手段としてのスキャナを備えて構成される。
【０２０７】
また、画像読取装置とコンピュータとを組み合わせて、濃度ムラ検出装置として構成することもできる。この場合、コンピュータは、所定のプログラムを実行することにより、画像読取装置で読み取った画像から濃度を検出する濃度ムラ検出部として機能する。
【符号の説明】
【０２０８】
１…印刷装置、１０…給紙部、１２…給紙装置、１４…フィーダボード、１６…給紙ドラム、１７…グリッパ、２０…処理液塗布部、２２…処理液塗布ドラム、２３…グリッパ、２４…処理液塗布装置、３０…処理液乾燥部、３２…処理液乾燥ドラム、３３…グリッパ、３４…処理液乾燥装置、４０…印刷部、３２…押圧ローラ、４４…ヘッドユニット、４６Ｃ、４６Ｍ、４６Ｙ、４６Ｋ…インクジェットヘッド、４８…スキャナ、４８Ａ…撮像素子、４８Ｂ…光学系、４８Ｃ…照明ランプ、５０…インク乾燥部、５２…チェーングリッパ、５２Ａ…チェーン、５２Ｂ…グリッパ、５４…用紙ガイド、５４Ａ…第１ガイドボード、５４Ｂ…第２ガイドボード、５６…加熱乾燥装置、５６Ａ…赤外線ランプ、６０…集積部、６２…集積装置、１００…印刷ドラム、１０２…グリッパ、１０４…印刷ドラムの周面、１０８…モータ、１１０…真空ポンプ、１１２…吸着穴、１１４…溝、１１６…突起、２００…コンピュータ、２０２…通信部、２０４…操作部、２０６…表示部、２０８…記憶部、２１０…濃度ムラ検出部、３００…ベルト、３０２…ベルトの周面、Ｐ…用紙
【図１】
2016047192.tif 000003
【図２】
2016047192.tif 000004
【図３】
2016047192.tif 000005
【図４】
2016047192.tif 000006
【図５】
2016047192.tif 000007
【図１０】
2016047192.tif 000008
【図１１】
2016047192.tif 000009
【図１２】
2016047192.tif 000010
【図１３】
2016047192.tif 000011
【図１４】
2016047192.tif 000012
【図１５】
2016047192.tif 000013
【図１８】
2016047192.tif 000014
【図１９】
2016047192.tif 000015
【図２１】
2016047192.tif 000016
【図２２】
2016047192.tif 000017
【図２３】
2016047192.tif 000018
【図２４】
2016047192.tif 000019
【図２８】
2016047192.tif 000020
【図２９】
2016047192.tif 000021
【図３０】
2016047192.tif 000022
【図３１】
2016047192.tif 000023
【図６】
2016047192.tif 000024
【図７】
2016047192.tif 000025
【図８】
2016047192.tif 000026
【図９】
2016047192.tif 000027
【図１６】
2016047192.tif 000028
【図１７】
2016047192.tif 000029
【図２０】
2016047192.tif 000030
【図２５】
2016047192.tif 000031
【図２６】
2016047192.tif 000032
【図２７】
2016047192.tif 000033
【国際調査報告】
2016047192.tif 000034
2016047192.tif 000035
2016047192.tif 000036
2016047192.tif 000037